(57)【要約】【課題】光学ピックアップアクチュエータの構造をシンプルにするプリント回路基板、一般的には、そのような非導電媒体を提供すること。【解決手段】自身の上に配置された電気導電性材料のパターンを有する非導電媒体であって、該非導電媒体は、磁場に置かれるとき、可動であり；該電気導電性材料のパターンは、第一の軸に平行な該非導電媒体上に配置された第一の層の複数のリニア導電経路（１０１）を備え、該複数のリニア導電経路（１０１）のそれぞれは、該非導電媒体上に配置された少なくとも第一の端子（１０２）と第二の端子（１０３）を接続し；該少なくとも第一の端子（１０２）と第二の端子（１０３）との間に電流（ｉ）が流れるとき、該リニア導電経路（１０１）は、電磁力を生成するように適合されており、その結果、該非導電媒体は、該第一の軸に垂直な第二の軸に沿って移動する、非導電媒体。【選択図】図６
2008103724.tif 000002
【特許請求の範囲】
【請求項１】
自身の上に配置された電気導電性材料のパターンを有する非導電媒体であって、該非導電媒体は、磁場に置かれるとき、可動であり、
該電気導電性材料のパターンは、第一の軸に平行な該非導電媒体上に配置された第一の層の複数のリニア導電経路（１０１）を備え、該複数のリニア導電経路（１０１）のそれぞれは、該非導電媒体上に配置された少なくとも第一の端子（１０２）と第二の端子（１０３）を接続し、
該少なくとも第一の端子（１０２）と第二の端子（１０３）との間に電流（ｉ）が流れるとき、該リニア導電経路（１０１）は、電磁力を生成するように適合されており、その結果、該非導電媒体は、該第一の軸に垂直な第二の軸に沿って移動する、非導電媒体。
【請求項２】
第二の層の複数の第二のリニア導電経路（１１１）をさらに備え、
該第二の層の該複数の第二のリニア導電経路（１１１）は、第三の軸に平行に配置され、該複数の第二のリニア導電経路（１１１）のそれぞれは、前記非導電媒体上に配置された少なくとも第三の端子（１１２）と第四の端子（１１３）を接続し、
該少なくとも第三の端子（１１２）と第四の端子（１１３）との間に電流（ｉ’）が流れるとき、該第二のリニア導電経路（１１１）は、電磁力を生成するように適合されており、その結果、該非導電媒体は、該第三の軸に垂直な第四の軸に沿って移動する、請求項１に記載の非導電媒体。
【請求項３】
前記第一の層の第一のリニア導電経路（１０１）は、前記第一の軸と前記第二の軸とによって規定される第一の平面に沿って横たわり、前記第二の層の第二のリニア導電経路（１１１）は、前記第三の軸と前記第四の軸とによって規定される第二の平面に沿って横たわり、該第一の平面は、該第二の平面に平行である、請求項２に記載の非導電媒体。
【請求項４】
前記第一の層のリニア導電経路（１０１）と第二の層のリニア導電経路（１１１）とを互いに電気的に絶縁するように適合されている第一の非導電層（１２０）をさらに備え、該第二の層のリニア導電経路（１１１）は、該第一の非導電層（１２０）上に配置されている、請求項２または請求項３に記載の非導電媒体。
【請求項５】
前記第一の非導電層（１２０）は、エポキシ層である、請求項４に記載の非導電媒体。
【請求項６】
前記第一の層の第一のリニア導電経路（１０１）および第二の層の第二のリニア導電経路（１１１）のセットは、前記非導電媒体の各側上に配置される、請求項２〜請求項５のいずれか１項に記載の非導電媒体。
【請求項７】
前記第一の層のリニア導電経路（１０１）は、前記非導電媒体の一方の側に配置され、前記第二の層のリニア導電経路（１１１）は、該非導電媒体の他方の側に配置される、請求項２または請求項３に記載の非導電媒体。
【請求項８】
前記第一（１０２）、第二（１０３）、第三（１１２）、および第四の端子（１１３）は、それぞれ第一、第二、第三、および第四の導電ストリップである、請求項２〜請求項７のいずれか１項に記載の非導電媒体。
【請求項９】
前記第一の層の前記第一の軸は、前記第二の層のリニア導電経路（１１１）の前記第三の軸に垂直に配置されている、請求項２〜請求項８のいずれか１項に記載の非導電媒体。
【請求項１０】
第三の層の複数の第三のリニア導電経路（１２１）および第四の層の複数の第四のリニア導電経路（１２１’）をさらに備え、
該第三のリニア導電経路（１２１）および該第四のリニア導電経路（１２１’）は、それぞれ第五の軸および第六の軸に平行に、上記非導電媒体上に配置され、
該第三のリニア導電経路および該第四のリニア導電経路は双方とも、該非導電媒体上に配置された第五の端子（１２２）と第六の端子（１２３）を接続し、
該第五の端子（１２２）と該第六の端子（１２３）との間に電流（ｉ”）が流れるとき、該第三のリニア導電経路（１２１）および該第四のリニア導電経路（１２１’）は、それぞれ電磁力を生成するように適合されており、その結果、該非導電媒体は、該非導電媒体の平面に垂直な第七の軸の周りを回転する、請求項２〜請求項７のいずれか１項に記載の非導電媒体。
【請求項１１】
前記第三の層の第三のリニア導電経路（１２１）および前記第四の層の第四のリニア導電経路（１２１’）は、前記非導電媒体の前記平面に平行な同一平面に配置され、
該第三のリニア導電経路および該第四のリニア導電経路は、該非導電媒体の対向する端に配置され、前記第七の軸に対して、互いに実質的に対称であり、
前記第五の軸と前記第六の軸とに互いに平行である、請求項１０に記載の非導電媒体。
【請求項１２】
前記第五の端子（１２２）は、前記第七の軸から、前記第五のリニア導電経路（１２１）および前記第六のリニア導電経路（１２１’）の最も遠い端を接続するように適合され、
前記第六の端子（１２３）は、該第七の軸から、該第五のリニア導電経路（１２１）および該第六のリニア導電経路（１２１’）の最も近い端を接続するように適合され、
該第五の端子（１２２）と第六の端子（１２３）との間に電流（ｉ”）が流れるとき、前記第三のリニア導電経路（１２１）および前記第四のリニア導電経路（１２１’）は、それぞれ電磁力を生成するように適合され、その結果、該非導電媒体は、該非導電媒体の平面に垂直な該第七の軸の周りを回転する、請求項１１に記載の非導電媒体。
【請求項１３】
前記第五の端子（１２２）および第六の端子（１２３）は、それぞれ第五の導電ストリップおよび第六の導電ストリップである、請求項１０〜請求項１２のいずれか１項に記載の非導電媒体。
【請求項１４】
前記第一の層の第一のリニア導電経路（１０１）は、第一の平面に配置され、前記第二の層の第二のリニア導電経路（１１１）と、前記第三の層の第三のリニア導電経路（１２１）および第四の層の第四のリニア導電経路（１２１’）とは、それぞれ第二の平面に配置される、請求項１０〜請求項１３のいずれか１項に記載の非導電媒体。
【請求項１５】
前記第一の層の第一のリニア導電経路（１０１）と、前記第三の層の第三のリニア導電経路（１２１）および第四の層の第四のリニア導電経路（１２１’）とは、それぞれ第三の平面に配置され、前記第二の層の第二のリニア導電経路（１１１）は、第四の平面に配置されている、請求項１０〜請求項１３のいずれか１項に記載の非導電媒体。
【請求項１６】
前記第一の平面および前記第二の平面は、前記非導電媒体の一方の側に配置され、第二の非導電層が、該第一の平面と該第二の平面との間に配置されている、請求項１４に記載の非導電媒体。
【請求項１７】
前記第一の平面および前記第二の平面のセットは、前記非導電媒体の各側に配置されている、請求項１６に記載の非導電媒体。
【請求項１８】
前記第三の平面および前記第四の平面は、前記非導電媒体の一方の側に配置され、第三の非導電層が、該第三の平面と該第四の平面との間に配置される、請求項１５に記載の非導電媒体。
【請求項１９】
前記第三の平面および前記第四の平面のセットは、前記非導電媒体の各側に配置されている、請求項１８に記載の非導電媒体。
【請求項２０】
前記第一の平面は、前記非導電媒体の一方の側に配置され、前記第二の平面は、該非導電媒体の他方の側に配置されている、請求項１４に記載の非導電媒体。
【請求項２１】
前記第三の平面は、前記非導電媒体の一方の側に配置され、前記第四の平面は、該非導電媒体の他方の側に配置されている、請求項１５に記載の非導電媒体。
【請求項２２】
前記電気導電性材料のパターンは、前記非導電媒体の表面上に印刷されている、請求項１〜請求項２１のいずれか１項に記載の非導電媒体。
【請求項２３】
自身の上に配置された電気導電性材料のパターンを有する請求項１〜請求項２２のいずれか１項に記載の非導電媒体と、第一の磁石（６１）および第二の磁石（６２）とを備える、システムであって、
自身の上に配置された該電気導電性材料のパターンを有する該非導電媒体は、該第一の磁石（６１）と該第二の磁石（６２）との間に間隔を空けて置かれ、該第一の磁石（６１）および該第二の磁石（６２）は、該第一の磁石（６１）が該第二の磁石（６２）の対極と面するように配置され、
該非導電媒体は、電流がリニア導電経路の層によって接続された２つの端子間を流れるとき、可動である、システム。
【請求項２４】
自身の上に配置された電気導電性材料のパターンを有する非導電媒体を製造する方法であって、該非導電媒体は、磁場に置かれるとき、可動であり、該方法は、
第一の層の複数のリニア導電経路（１０１）を第一の軸に平行な該非導電媒体上に配置するステップと、
少なくとも第一の端子（１０２）および第二の端子（１０３）を該非導電媒体上に配置して、該複数のリニア導電経路（１０１）のそれぞれが、該少なくとも第一の端子（１０２）と該第二の端子（１０３）を接続するステップと
を包含し、
該第一の層の複数のリニア導電経路（１０１）を配置するステップは、該少なくとも第一の端子（１０２）と該第二の端子（１０３）との間に電流が流れるとき、該第一の層（１０１）は、電磁力を生成し、その結果、該非導電媒体が、該第一の軸に垂直な第二の軸に沿って移動するステップである、方法。
【発明の詳細な説明】
【技術分野】
【０００１】
（発明の分野）
本発明は、プリントコイルを自身の上に有するプリント回路基板と、そのプリント回路基板を製造する方法とに関する。このようなプリント回路基板は、特に、光学記録装置および／または光学再生装置内の光学ピックアップ用アクチュエータに実装され得る。ハードドライブまたは電気調整ドライブにおける用途もまた、考慮され得る。
【背景技術】
【０００２】
（発明の背景）
一般的に、光学ピックアップは、光学記録装置および／または光学再生装置に使用される。光学ピックアップは、光学ディスクのような光学情報格納媒体の上方を、光学ディスクの半径方向に移動し、非接触な方法で、光学ディスク上に／から情報を記録／再生する。
【０００３】
光学ピックアップは、光源、通常はレーザ光源から放たれた光を光学ディスク上の正しい位置で、光スポットを形成するために、トラッキング方向とフォーカス方向とに、またオプションとして、チルト方向に対物レンズを駆動する光学ピックアップアクチュエータを必要とする。
【０００４】
光ディスクの格納容量が増加するにつれて、対物レンズの開口数も増加し、その結果、光学ディスクが対物レンズに対してチルトされるとき、収差を生じる。光学ピックアップアクチュエータの再生能力は、開口数が増加するために減少し、開口数の増加は、光学ディスクへの書き込み信号を劣化させる。これは、情報書き込み動作において、光学ディスク上に形成されたピットの変形によるものである。
【０００５】
上述の問題を克服するために、チルト誤差は、フォーカシング誤差およびトラッキング誤差と同様に、補償されなくてはならない。したがって、光学ピックアップアクチュエータは、トラッキング方向およびフォーカス方向に加え、チルト方向にも移動する。
【０００６】
従来の光学ピックアップアクチュエータは、ベースに可動なように設置されたレンズホルダと、ベースに対して可動するレンズホルダをサポートするサスペンションと、レンズホルダとベースとに面して設置された磁気回路とを備える。このような光学ピックアップアクチュエータは、光学ディスク全体の半径方向であるトラッキング方向と、光学ディスクの表面に垂直なフォーカス方向とに少なくとも移動する。
【０００７】
図１は、最新式に従うこのような光学ピックアップアクチュエータの斜視図を示す。光学ピックアップアクチュエータは、対物レンズ１を備え、対物レンズ１は、レンズホルダ２に装着される。このアクチュエータは、サポート部材４を備え、サポート部材４の一端は、レンズホルダ２の側面に固定され、その他端は、ベース５上に提供されるホルダ３で固定される。レンズホルダ２は、ベース５に対して可動である。
【０００８】
自身の表面上に配置された磁気回路を有するプリント回路基板１０は、レンズホルダ２上に固定され、２つの磁石６ａと６ｂとの間に配置され、これらの磁石は、ベース５上に固定される。プリント回路基板１０は、ｙ方向（フォーカス方向）に、ｘ方向（トラッキング方向）に、あるいは平面ｙ、ｚ内または平面ｘ、ｙ内のチルト方向に沿って可動である。
【０００９】
図２は、図１に示される磁石６ａと６ｂとの間に配置されたレンズホルダ２とプリント回路基板１０の斜視図を示すが、ホルダ３およびベース５を除いて示されている。
【００１０】
図３は、２つの磁石６ａと６ｂとの間に装着されたプリント回路基板１０の斜視図を示す。磁石６ａおよび６ｂは、八極磁石であり、黒で示されている部分は、Ｎ極に相当し、白で示されている部分は、Ｓ極に相当する。中間的な部分は、ハッチングされている。第一の磁石６ａおよび第二の磁石６ｂは、第一の磁石の極が、Ｎ極であってもＳ極であっても、第二の磁石６ｂの対極に面する。
【００１１】
従来の光学ピックアップにおいて、プリント回路基板の表面上の磁気回路は、典型的には、巻かれたコイルを用いて実現されている。しかしながら、より最近のシステムにおいて、磁気回路は、プリント回路基板上に印刷されるようになってきた。このことによって、かさばるコイル巻き線に対する必要がなくなり、アクチュエータの体積も、その重量も削減することが可能になってきた。以下において、典型的なプリントコイルパターンが、記載される。
【００１２】
光学ピックアップアクチュエータ内のプリント回路基板は、典型的に、複数の層の磁気回路を備える。一例が、図４ａ、図４ｂ、図４ｃ、および図４ｄを参照して説明される。この例は、自身の表面上に印刷されたコイル巻き線を有する磁気回路の多層配置を示し、磁気回路の層は、絶縁層によって、例えば、エポキシ層によって互いから分離されている。
【００１３】
図４ａは、第一の層１０ａを示し、３つの磁気回路４１ａ、４２ａ、４３ａが、図示される。これらの回路のそれぞれは、コイル巻き線を備え、コイル巻き線は、第一の層１０ａの平面に実質的に垂直である軸の周りに巻かれている。図４ａにおいて、第一の層１０ａの両端に配置された第一の磁気回路４１ａおよび第二の磁気回路４２ａは、フォーカスコイル巻き線である。第一の磁気回路４１ａと第二の磁気回路４２ａとの間に配置された第三の磁気回路４３ａは、トラッキングコイル巻き線である。第一の磁気回路４１ａ、第二の磁気回路４２ａ、および第三の磁気回路４３ａは、それぞれ端子に接続されており、これらの端子に、入力信号が付与される。
【００１４】
図４ｂは、プリント回路基板の多層配置の第二の層１０ｂを示し、ここで、第四の磁気回路４４ａおよび第五の磁気回路４５ａは、第二の層１０ｂの両側に配置される。第六の磁気回路４３ｂは、第四の磁気回路４４ａと第五の磁気回路４５ａとの間に配置される。第四の磁気回路４４ａおよび第五の磁気回路４５ａは、チルトコイル巻き線であるのに対して、第六の磁気回路４３ｂは、トラッキングコイル巻き線である。図４ａおよび図４ｂから明らかなように、スルーホールが、第一の層１０ａおよび第二の層１０ｂに配置され、端子の一つに入力され、第一の層１０ａのコイル巻き線を通過する信号を、第二の層１０ｂの対応するコイル巻き線に送信することが可能になる。
【００１５】
図４ｃは、第三の層１０ｃを示し、第三の層１０ｃは、チルトコイル巻き線である第七の磁気回路４４ｂおよび第八の磁気回路４５ｂを備える。第三の層１０ｃは、トラッキングコイル巻き線である第九の磁気回路４３ｃをさらに備える。図４ｄは、多層配置の第四の層１０ｄを示し、第四の層１０ｄは、フォーカスコイル巻き線である第十の磁気回路４１ｂおよび第十一の磁気回路４２ｂと、トラッキングコイル巻き線である第十二の磁気回路４３ｄを備える。
【００１６】
しかしながら、磁気回路のこのような多層配置は、フォーカス、トラッキング、およびチルト機能を可能にするために、複雑な構造を有する。さらに、プリント回路基板のこの複雑な構造は、結果として、電磁力を生成するために要求される永久磁石の構造の複雑化を招く。実際、図３から明らかなように、磁石６ａおよび６ｂは、八極磁石であり、この構造は、かなり複雑であり、その結果、製造コストが高くなる。
【００１７】
さらに、この技術に従って、自身の表面上に印刷されたプリントコイル巻き線を有するプリント回路基板において、磁気的に効率的な領域は、プリントコイル巻き線の全表面に比べて比較的小さく、このため、磁気効率が低くなる。一例が、図５を参照して与えられる。
【００１８】
図５は、プリント回路基板の一つの層の一部分、特に一つのコイル巻き線５１の模式図を示す。図５のハッチングされたエリアは、コイル巻き線５１の磁気的に活性な領域を示す。この活性な領域は、コイル巻き線５１が、図３に示される磁石６ａおよび６ｂによって生成される磁場の中に置かれるとき、電流がそのコイル巻き線５１を通過して流れる向きを有し、この領域は、プリント回路基板を移動させる電磁力の生成に寄与する。ハッチングされたエリアの外側の領域である他の領域は、このような電磁力の生成に寄与しないで、電気的接続を確保するのみである。この結果、この技術に従う光学ピックアップアクチュエータ内のプリント回路基板上に配置されたコイル巻き線は、電磁力に寄与を一切提供しない一部の領域を有し、これによって、プリント回路基板上の空間ロスと、磁気効率の低下とを招く。
【発明の開示】
【発明が解決しようとする課題】
【００１９】
（発明の概要）
本発明の目的は、光学ピックアップアクチュエータの構造をシンプルにすることを可能にするプリント回路基板を提供することである。
【００２０】
本発明の別の目的は、磁気効率の改善を可能にするプリント回路基板を提供することである。
【課題を解決するための手段】
【００２１】
これらの目的の少なくとも一つは、独立請求項に係る事項によって解決される。好ましい実施形態は、従属請求項に係る事項である。
【００２２】
本発明の一つの実施形態は、自身の上に配置された電気導電性材料のパターンを有する非導電媒体を提供し、該非導電媒体は、磁場に置かれるとき、可動であり、該電気導電性材料のパターンは、第一の軸に平行な該非導電媒体上に配置された第一の層の複数のリニア導電経路を備え、該複数のリニア導電経路のそれぞれは、該非導電媒体上に配置された少なくとも第一の端子と第二の端子を接続し、該少なくとも第一の端子と第二の端子との間に電流が流れるとき、該リニア導電経路は、電磁力を生成するように適合され、その結果、該非導電媒体は、該第一の軸に垂直な第二の軸に沿って移動する。
【００２３】
本発明の一つの別の実施形態は、上記非導電媒体は、第二の層の複数の第二のリニア導電経路をさらに備え、該第二の層の該複数の第二のリニア導電経路は、第三の軸に平行に配置され、該複数の第二のリニア導電経路のそれぞれは、上記非導電媒体上に配置された少なくとも第三の端子と第四の端子を接続し、該少なくとも第三の端子と第四の端子との間に電流が流れるとき、該第二のリニア導電経路は、電磁力を生成するように適合され、その結果、該非導電媒体は、該第三の軸に垂直な第四の軸に沿って移動する。
【００２４】
本発明の別の実施形態に従うと、上記第一の層の第一のリニア導電経路は、上記第一の軸と上記第二の軸とによって規定される第一の平面に沿って横たわり、上記第二の層の第二のリニア導電経路は、上記第三の軸と上記第四の軸とによって規定される第二の平面に沿って横たわり、該第一の平面は、該第二の平面に平行である。
【００２５】
本発明のまた別の実施形態に従うと、上記非導電媒体は、上記第一と第二の層のリニア導電経路とを互いに電気的に絶縁するように適合される第一の非導電層をさらに備え、該第二の層のリニア導電経路は、該第一の非導電層上に配置される。
【００２６】
本発明の一つの実施形態に従うと、上記第一の非導電層は、エポキシ層である。
【００２７】
本発明の別の実施形態に従うと、上記第一の層の第一のリニア導電経路および第二の層の第二のリニア導電経路は、上記非導電媒体の各側上に配置される。
【００２８】
本発明のまた別の実施形態に従うと、上記第一の層のリニア導電経路は、上記非導電媒体の一方の側に配置され、上記第二の層のリニア導電経路は、上記非導電媒体の他方の側に配置される。
【００２９】
本発明の一実施形態に従うと、上記第一、第二、第三、および第四の端子は、それぞれ第一、第二、第三、および第四の導電ストリップである。
【００３０】
本発明の別の実施形態に従うと、上記第一の層の上記第一の軸は、上記第二の層のリニア導電経路の上記第三の軸に垂直に配置される。
【００３１】
本発明のまた別の実施形態に従うと、第三の層の複数の第三のリニア導電経路および第四の層の複数の第四のリニア導電経路をさらに備え、該第三のリニア導電経路および該第四のリニア導電経路は、それぞれ第五の軸および第六の軸に平行に、上記非導電媒体上に配置され、該第三のリニア導電経路および該第四のリニア導電経路は双方とも、該非導電媒体上に配置された第五の端子と第六の端子を接続し、該第五の端子と該第六の端子との間に電流が流れるとき、該第三のリニア導電経路および該第四のリニア導電経路は、それぞれ電磁力を生成するように適合され、その結果、該非導電媒体は、該非導電媒体の平面に垂直な第七の軸の周りを回転する。
【００３２】
本発明の一実施形態に従うと、上記第三の層の第三のリニア導電経路および上記第四の層の第四のリニア導電経路は、上記非導電媒体の上記平面に平行な同一平面に配置され、該第三のリニア導電経路および該第四のリニア導電経路は、該非導電媒体の対向する端に配置され、上記第七の軸に対して、互いに実質的に対称であり、前記第五の軸と前記第六の軸とに互いに平行である。
【００３３】
本発明の別の実施形態に従うと、上記第五の端子は、上記第七の軸から、前記第五のリニア導電経路および前記第六のリニア導電経路の最も遠い端を接続するように適合され、上記第六の端子は、該第七の軸から、該第五のリニア導電経路および該第六のリニア導電経路の最も近い端を接続するように適合され、該第五の端子と第六の端子との間に電流が流れるとき、上記第三のリニア導電経路および上記第四のリニア導電経路は、それぞれ電磁力を生成するように適合され、その結果、該非導電媒体は、該非導電媒体の上記平面に垂直な該第七の軸の周りを回転する。
【００３４】
本発明のまた別の実施形態に従うと、上記第五の端子および上記第六の端子は、それぞれ第五の導電ストリップおよび第六の導電ストリップである。
【００３５】
本発明の一実施形態に従うと、上記第一の層の第一のリニア導電経路は、第一の平面に配置され、上記第二の層の第二のリニア導電経路と、上記第三の層の第三のリニア導電経路および第四の層の第四のリニア導電経路とは、それぞれ第二の平面に配置されている。
【００３６】
本発明の別の実施形態に従うと、上記第一の層の第一のリニア導電経路と、上記第三の層の第三のリニア導電経路および第四の層の第四のリニア導電経路とは、それぞれ第三の平面に配置され、上記第二の層の第二のリニア導電経路は、第四の平面に配置されている。
【００３７】
本発明のまた別の実施形態に従うと、上記第一の平面および上記第二の平面は、上記非導電媒体の一方の側に配置され、第二の非導電層は、該第一の平面と該第二の平面との間に配置されている。
【００３８】
本発明の一実施形態に従うと、上記第一の平面および上記第二の平面のセットは、上記非導電媒体の各側に配置されている。
【００３９】
本発明の別の実施形態に従うと、上記第三の平面および上記第四の平面は、上記非導電媒体の一方の側に配置され、第三の非導電層が、該第三の平面と該第四の平面との間に配置されている。
【００４０】
本発明のまた別の実施形態に従うと、上記第三の平面および上記第四の平面のセットは、上記非導電媒体の各側に配置されている。
【００４１】
本発明の一実施形態に従うと、上記第一の平面は、上記非導電媒体の一方の側に配置され、上記第二の平面は、該非導電媒体の他方の側に配置されている。
【００４２】
本発明のまた別の実施形態に従うと、上記第三の平面は、上記非導電媒体の一方の側に配置され、上記第四の平面は、該非導電媒体の他方の側に配置されている。
【００４３】
本発明のまた別の実施形態に従うと、上記電気導電性材料のパターンは、上記非導電媒体の表面上に印刷されている。
【００４４】
本発明の別の実施形態は、自身の上に配置された電気導電性材料のパターンを有する非導電媒体と、第一の磁石および第二の磁石とを備えるシステムを提供し、自身の上に配置された該電気導電性材料のパターンを有する該非導電媒体は、該第一の磁石と該第二の磁石との間に間隔を空けて置かれ、該第一の磁石および該第二の磁石は、該第一の磁石が該第二の磁石の対極と面するように配置され、該非導電媒体は、電流がリニア導電経路の層によって接続された２つの端子間を通過するとき、可動である。
【００４５】
本発明の別の実施形態は、自身の上に配置された電気導電性材料のパターンを有する非導電媒体を製造する方法を提供し、該非導電媒体は、磁場に置かれるとき、可動であり、該方法は、第一の層の複数のリニア導電経路を第一の軸に平行な該非導電媒体上に配置するステップと、少なくとも第一の端子と第二の端子を該非導電媒体上に配置して、該複数のリニア導電経路のそれぞれが、該少なくとも第一の端子および該第二の端子を接続するようにするステップとを包含し、該第一の層の複数のリニア導電経路を配置するステップは、該少なくとも第一の端子と該第二の端子との間に電流が流れるとき、該第一の層は、電磁力を生成し、その結果、該非導電媒体が、該第一の軸に垂直な第二の軸に沿って移動する。
【００４６】
本発明は、さらに、以下の手段を提供する。
【００４７】
（項目１）
自身の上に配置された電気導電性材料のパターンを有する非導電媒体であって、該非導電媒体は、磁場に置かれるとき、可動であり、
該電気導電性材料のパターンは、第一の軸に平行な該非導電媒体上に配置された第一の層の複数のリニア導電経路（１０１）を備え、該複数のリニア導電経路（１０１）のそれぞれは、該非導電媒体上に配置された少なくとも第一の端子（１０２）と第二の端子（１０３）を接続し、
該少なくとも第一の端子（１０２）と第二の端子（１０３）との間に電流（ｉ）が流れるとき、該リニア導電経路（１０１）は、電磁力を生成するように適合されており、その結果、該非導電媒体は、該第一の軸に垂直な第二の軸に沿って移動する、非導電媒体。
【００４８】
（項目２）
第二の層の複数の第二のリニア導電経路（１１１）をさらに備え、
該第二の層の該複数の第二のリニア導電経路（１１１）は、第三の軸に平行に配置され、該複数の第二のリニア導電経路（１１１）のそれぞれは、上記非導電媒体上に配置された少なくとも第三の端子（１１２）と第四の端子（１１３）を接続し、
該少なくとも第三の端子（１１２）と第四の端子（１１３）との間に電流（ｉ’）が流れるとき、該第二のリニア導電経路（１１１）は、電磁力を生成するように適合されており、その結果、該非導電媒体は、該第三の軸に垂直な第四の軸に沿って移動する、項目１に記載の非導電媒体。
【００４９】
（項目３）
上記第一の層の第一のリニア導電経路（１０１）は、上記第一の軸と上記第二の軸とによって規定される第一の平面に沿って横たわり、上記第二の層の第二のリニア導電経路（１１１）は、上記第三の軸と上記第四の軸とによって規定される第二の平面に沿って横たわり、該第一の平面は、該第二の平面に平行である、項目２に記載の非導電媒体。
【００５０】
（項目４）
上記第一の層のリニア導電経路（１０１）と第二の層のリニア導電経路（１１１）とを互いに電気的に絶縁するように適合されている第一の非導電層（１２０）をさらに備え、該第二の層のリニア導電経路（１１１）は、該第一の非導電層（１２０）上に配置されている、項目２または項目３に記載の非導電媒体。
【００５１】
（項目５）
上記第一の非導電層（１２０）は、エポキシ層である、項目４に記載の非導電媒体。
【００５２】
（項目６）
上記第一の層の第一のリニア導電経路（１０１）および第二の層の第二のリニア導電経路（１１１）のセットは、上記非導電媒体の各側上に配置される、項目２〜項目５のいずれか１項に記載の非導電媒体。
【００５３】
（項目７）
上記第一の層のリニア導電経路（１０１）は、上記非導電媒体の一方の側に配置され、上記第二の層のリニア導電経路（１１１）は、該非導電媒体の他方の側に配置される、項目２または項目３に記載の非導電媒体。
【００５４】
（項目８）
上記第一（１０２）、第二（１０３）、第三（１１２）、および第四の端子（１１３）は、それぞれ第一、第二、第三、および第四の導電ストリップである、項目２〜項目７のいずれか１項に記載の非導電媒体。
【００５５】
（項目９）
上記第一の層の上記第一の軸は、上記第二の層のリニア導電経路（１１１）の上記第三の軸に垂直に配置されている、項目２〜項目８のいずれか１項に記載の非導電媒体。
【００５６】
（項目１０）
第三の層の複数の第三のリニア導電経路（１２１）および第四の層の複数の第四のリニア導電経路（１２１’）をさらに備え、
該第三のリニア導電経路（１２１）および該第四のリニア導電経路（１２１’）は、それぞれ第五の軸および第六の軸に平行に、上記非導電媒体上に配置され、
該第三のリニア導電経路および該第四のリニア導電経路は双方とも、該非導電媒体上に配置された第五の端子（１２２）と第六の端子（１２３）を接続し、
該第五の端子（１２２）と該第六の端子（１２３）との間に電流（ｉ”）が流れるとき、該第三のリニア導電経路（１２１）および該第四のリニア導電経路（１２１’）は、それぞれ電磁力を生成するように適合されており、その結果、該非導電媒体は、該非導電媒体の平面に垂直な第七の軸の周りを回転する、項目２〜項目７のいずれか１項に記載の非導電媒体。
【００５７】
（項目１１）
上記第三の層の第三のリニア導電経路（１２１）および上記第四の層の第四のリニア導電経路（１２１’）は、上記非導電媒体の上記平面に平行な同一平面に配置され、
該第三のリニア導電経路および該第四のリニア導電経路は、該非導電媒体の対向する端に配置され、上記第七の軸に対して、互いに実質的に対称であり、
上記第五の軸と上記第六の軸とに互いに平行である、項目１０に記載の非導電媒体。
【００５８】
（項目１２）
上記第五の端子（１２２）は、上記第七の軸から、上記第五のリニア導電経路（１２１）および上記第六のリニア導電経路（１２１’）の最も遠い端を接続するように適合され、
上記第六の端子（１２３）は、該第七の軸から、該第五のリニア導電経路（１２１）および該第六のリニア導電経路（１２１’）の最も近い端を接続するように適合され、
該第五の端子（１２２）と第六の端子（１２３）との間に電流（ｉ”）が流れるとき、上記第三のリニア導電経路（１２１）および上記第四のリニア導電経路（１２１’）は、それぞれ電磁力を生成するように適合され、その結果、該非導電媒体は、該非導電媒体の平面に垂直な該第七の軸の周りを回転する、項目１１に記載の非導電媒体。
【００５９】
（項目１３）
上記第五の端子（１２２）および第六の端子（１２３）は、それぞれ第五の導電ストリップおよび第六の導電ストリップである、項目１０〜項目１２のいずれか１項に記載の非導電媒体。
【００６０】
（項目１４）
上記第一の層の第一のリニア導電経路（１０１）は、第一の平面に配置され、上記第二の層の第二のリニア導電経路（１１１）と、上記第三の層の第三のリニア導電経路（１２１）および第四の層の第四のリニア導電経路（１２１’）とは、それぞれ第二の平面に配置される、項目１０〜項目１３のいずれか１項に記載の非導電媒体。
【００６１】
（項目１５）
上記第一の層の第一のリニア導電経路（１０１）と、上記第三の層の第三のリニア導電経路（１２１）および第四の層の第四のリニア導電経路（１２１’）とは、それぞれ第三の平面に配置され、上記第二の層の第二のリニア導電経路（１１１）は、第四の平面に配置されている、項目１０〜項目１３のいずれか１項に記載の非導電媒体。
【００６２】
（項目１６）
上記第一の平面および上記第二の平面は、上記非導電媒体の一方の側に配置され、第二の非導電層が、該第一の平面と該第二の平面との間に配置されている、項目１４に記載の非導電媒体。
【００６３】
（項目１７）
上記第一の平面および上記第二の平面のセットは、上記非導電媒体の各側に配置されている、項目１６に記載の非導電媒体。
【００６４】
（項目１８）
上記第三の平面および上記第四の平面は、上記非導電媒体の一方の側に配置され、第三の非導電層が、該第三の平面と該第四の平面との間に配置される、項目１５に記載の非導電媒体。
【００６５】
（項目１９）
上記第三の平面および上記第四の平面のセットは、上記非導電媒体の各側に配置されている、項目１８に記載の非導電媒体。
【００６６】
（項目２０）
上記第一の平面は、上記非導電媒体の一方の側に配置され、上記第二の平面は、該非導電媒体の他方の側に配置されている、項目１４に記載の非導電媒体。
【００６７】
（項目２１）
上記第三の平面は、上記非導電媒体の一方の側に配置され、上記第四の平面は、該非導電媒体の他方の側に配置されている、項目１５に記載の非導電媒体。
【００６８】
（項目２２）
上記電気導電性材料のパターンは、上記非導電媒体の表面上に印刷されている、項目１〜項目２１のいずれか１項に記載の非導電媒体。
【００６９】
（項目２３）
自身の上に配置された電気導電性材料のパターンを有する項目１〜項目２２のいずれか１項に記載の非導電媒体と、第一の磁石（６１）および第二の磁石（６２）とを備える、システムであって、
自身の上に配置された該電気導電性材料のパターンを有する該非導電媒体は、該第一の磁石（６１）と該第二の磁石（６２）との間に間隔を空けて置かれ、該第一の磁石（６１）および該第二の磁石（６２）は、該第一の磁石（６１）が該第二の磁石（６２）の対極と面するように配置され、
該非導電媒体は、電流がリニア導電経路の層によって接続された２つの端子間を流れるとき、可動である、システム。
【００７０】
（項目２４）
自身の上に配置された電気導電性材料のパターンを有する非導電媒体を製造する方法であって、該非導電媒体は、磁場に置かれるとき、可動であり、該方法は、
第一の層の複数のリニア導電経路（１０１）を第一の軸に平行な該非導電媒体上に配置するステップと、
少なくとも第一の端子（１０２）および第二の端子（１０３）を該非導電媒体上に配置して、該複数のリニア導電経路（１０１）のそれぞれが、該少なくとも第一の端子（１０２）と該第二の端子（１０３）を接続するステップと
を包含し、
該第一の層の複数のリニア導電経路（１０１）を配置するステップは、該少なくとも第一の端子（１０２）と該第二の端子（１０３）との間に電流が流れるとき、該第一の層（１０１）は、電磁力を生成し、その結果、該非導電媒体が、該第一の軸に垂直な第二の軸に沿って移動するステップである、方法。
【００７１】
（摘要）
本発明は、自身の上に配置された電気導電性材料のパターンを有する非導電媒体に関し、該非導電媒体は、磁場に置かれるとき、可動であり、該電気導電性材料のパターンは、第一の軸に平行な該非導電媒体上に配置された第一の層の複数のリニア導電経路を備え、該複数のリニア導電経路のそれぞれは、該非導電媒体上に配置された少なくとも第一の端子および第二の端子を接続し、該少なくとも第一の端子と第二の端子との間に電流が流れるとき、該リニア導電経路は、電磁力を生成するように適合され、その結果、該非導電媒体は、該第一の軸に垂直な第二の軸に沿って移動する。
【発明を実施するための最良の形態】
【００７２】
（詳細な説明）
ここで、本発明の実施形態についての参照が詳細になされ、実施形態の例が、添付図面で説明される。添付図面において、同様の参照番号は、全体を通じて、同様のエレメントを意味する。本発明を説明するために、実施形態は、図面について言及することによって、以下に記載される。
【００７３】
図６は、本発明の実施形態に従うプリント回路基板１００の概略図を示す。非導電媒体は、自身の表面上に配置された電気導電性材料のパターンを有する。この非導電媒体は、エポキシ層または樹脂を備え得る。この電気導電性材料のパターンは、好ましくは、非導電媒体の表面上に印刷される。
【００７４】
図６は、プリント回路基板１００の一方の側からの概略図を示し、一つの層の複数のリニア導電経路１０１が、第一の軸に平行な非導電媒体上に配置され、この第一の軸は、図６に示されるｘ方向に沿う。非導電媒体の両側に配置された複数のリニア導電経路１０１は、第一の端子１０２を第二の端子１０３に接続する。
【００７５】
図７は、図６に示されるプリント回路基板１００のもう一方の側を示す。非導電媒体は、第二の層の複数の導電経路１１１を有し、第二の導電経路１１１は、第二の軸に沿った非導電媒体の表面上に配置される。第二の軸は、図７に示されるｙ方向に沿い、すなわち、ｘ方向に垂直である。非導電媒体上に配置されたリニア導電経路１１１は、第三の端子１１２を第四の端子１１３に接続する。
【００７６】
図６に示される非導電媒体の第一の側に配置された第一の層の第一のリニア導電経路１０１は、フォーカス層を形成する。なぜなら、第一の端子１０２と第二の端子１０３との間に電流ｉが流れ、第一のリニア導電経路１０１の平面に垂直な磁場Ｂが印加されるとき、第一のリニア導電経路１０１は、第二の軸に沿って、すなわちｙ方向に沿って電磁力を生成するからである。これによって、フォーカス方向、すなわちｙ方向に沿って、プリント回路基板１００を移動させることが可能になる。
【００７７】
第三の端子１１２から第四の端子１１３に電流ｉ’が流れ、第二の層のリニア導電経路１１１の平面に垂直な磁場Ｂが、図６に記載された例のように印加されるとき、第二のリニア導電経路１１１は、第一の軸に沿って、すなわちｘ方向に沿って電磁力を生成する。この結果、プリント回路基板１００は、トラッキング方向に沿って可動になる。
【００７８】
図６および図７に示された例において、複数の第一のリニア導電経路１０１の平面、および複数の第二のリニア導電経路１１１の平面に垂直な磁場Ｂが印加されることが説明された。これは、図８に示されるシステムを用いても達成され得る。ここで、本発明の実施形態に従う回路基板１００は、第一の磁石６１と第二の磁石６２との間に間隔を空けて置かれる。第一の磁石６１および第二の磁石６２は、二極磁石であり、ここで、第一の磁石６１の一方の極は、第二の磁石６２の対極と面する。図８に示される例において、第一の磁石６１のＮ極は、黒で表わされ、第二の磁石６２の白で表わされたＳ極に面する。
【００７９】
図６および図７に示される実施形態に従うプリント回路基板１００を備える図８に示されるシステムは、光学ピックアップアクチュエータに実装されたとき、トラッキング機能およびフォーカシング機能を提供するが、チルト機能は提供しない。本発明の別の実施形態は、図１０および図１１を参照して記載される。これによって、光学ピックアップアクチュエータにおけるチルト機能をサポートすることが可能になる。
【００８０】
図９ａは、本発明の代替の実施形態を示し、ここで、図６に示される第一の層の第一のリニア導電経路１０１と図７に示される第二の層の第二のリニア導電経路１１１とは、プリント回路基板１００の一方の側にそれぞれ配置されておらず、プリント回路基板１００の一方の側に双方とも配置される。この配置は、図９ａに示され、図９ａは、第一の層と第二の層との配置の透視概略図を示す。
【００８１】
図９ｂは、第一の層および第二の層の配置の側面図を示す。図９ｂから、第一の層の第一のリニア導電経路１０１が、非導電媒体の表面上に直接配置されていることと、非導電層１２０は、第一の層の第一のリニア導電経路１０１の表面上に配置されていることとは、明らかである。第二の層の第二のリニア導電経路１１１は、非導電層１２０の表面上に配置される。第一の層の第一のリニア導電経路１０１が、非導電媒体の上に直接配置され、第二の層の第二のリニア導電経路１１１が、第一の層の上に第二の層として配置される配置が、記載されてきたが、最初に、第二の層の第二のリニア導電経路１１１を非導電媒体の表面上に直接配置し、その上に、第一の層の第一のリニア導電経路１０１を配置することもまた、考慮され得る。
【００８２】
本発明の別の実施形態に従うと、図９ｂに示される第一の層および第二の層からなる多層構造は、非導電媒体の一方の側に配置され得るのみならず、その両側にも配置され得る。このようにすることで、多層配置の全厚が大きくなるが、生成される電磁力は、冗長な層の導電経路の恩恵を受け、リニア導電経路を通過して流れる電流の量が増えることによって、強化され得る。
【００８３】
図１０および図１１は、本発明の別の実施形態に従うプリント回路基板１００を示す。図示されたプリント回路基板１００は、トラッキング機能、フォーカシング機能、およびチルト機能がサポートされるように、第一、第二、第三、および第四の層のリニア導電経路を有する。
【００８４】
図１０は、プリント回路基板１００の一方の側を示し、ここで、第一の層の第一のリニア導電経路１０１は、図６に示された配置と同様の方法で、ｘ方向に沿って、非導電媒体上に配置される。第一の端子１０２と第二の端子１０３は、複数の第一のリニア導電経路１０１を介して、互いに接続される。
【００８５】
図１１は、プリント回路基板１００のもう一方の側を示し、ここで、第二の層の第二のリニア導電経路１１１’は、ｙ方向に沿って、非導電媒体上に配置される。第三の端子１１２’と第四の端子１１３’は、複数の第二のリニア導電経路１１１’を介して、互いに接続される。
【００８６】
第一の端子１０２および第二の端子１０３は、好ましくは、導電ストリップの形であることが予知され、この導電ストリップは、図１０に示される非導電媒体の第一の側の両末端に、実質的にｙ軸に沿って、すなわち、複数のリニア導電経路１０１が延びる方向に垂直に延びる。同様に、第三の端子１１２’および第四の端子１１３’は、好ましくは、図１１に示されるｘ方向に沿って延びる導電ストリップである。さらに、第三の端子１１２’および第四の端子１１３’は、それぞれ端子に接続され、その端子上に、実際の信号は、それぞれ第一のスルーホール１１５’および第二のスルーホール１１６’を介して入力される。
【００８７】
図１１から明らかなように、第三の層のリニア導電経路１２１と、第四の層のリニア導電経路１２１’とは、第二の層の第二のリニア導電経路１１１’と同じ平面にある非導電媒体上に配置される。第三の層の第三のリニア導電経路１２１および第四の層の第四のリニア導電経路１２１’は、非導電媒体の対向する端に配置される。
【００８８】
第三の層のリニア導電経路１２１は、第五の端子１２２を第六の端子１２３に接続する。同様に、第四の層のリニア導電経路１２１’は、第五の端子１２２を第六の端子１２３に接続する。第五の端子１２２から第六の端子１２３に電流ｉ”が流れるとき、第四の層のリニア導電経路１２１’によって生成される電磁力と反対方向に、第三の層のリニア導電経路１２３によって、電磁力が生成されるように、第五の端子１２２および第六の端子１２３は、配置される。
【００８９】
したがって、第五の端子１２２と第六の端子１２３との間に電流ｉ”が流れ、磁場Ｂが、例えば、第三の層のリニア導電経路１２１および第四の層のリニア導電経路１２１’の平面に垂直な方向に印加されるとき、これは、図８に示される第一の磁石６１と第二の磁石６２との間に、プリント回路基板１００が間隔を空けて置かれるときの場合のように、プリント回路基板１００は、プリント回路基板１００の表面に垂直な軸の周りを回転する。その結果、プリント回路基板１００のチルト機能が、第一の層の第一のリニア導電経路１０１によって提供されたフォーカシング機能と、第二の層の第二のリニア導電経路１１１’によって提供されたトラッキング機能に加えて、実装される。フォーカシング機能およびトラッキング機能は、図６および図７を参照して、既に記載された。
【００９０】
第三の層のリニア導電経路１２１および第四の層のリニア導電経路１２１’は、プリント回路基板が回転可能である軸に対して対称に配置される。第五の端子１２２は、プリント回路基板１１０上に配置されるが、これは、第五の端子１２２が、第三の層の第三のリニア導電経路１２１および第四の層の第四のリニア導電経路１２１’で、その回転軸から最も遠い端を接続するように配置される。第六の端子１２３は、第六の端子１２２が、第三の層のリニア導電経路１２１および第四の層のリニア導電経路１２１’で、その回転軸から最も近い端を接続するように配置される。このような配置によって、第五の端子１２２と第六の端子１２３との間に電流ｉ”が流れ、磁場Ｂが、プリント回路基板１００の表面に垂直であるとき、第三のリニア導電経路１２１および該第四のリニア導電経路１２１’は、対向する方向を有する電磁力をそれぞれ生成し、その結果、その結果、プリント回路基板１００が、プリント回路基板１００の平面に垂直な回転軸の周りを回転する。
【００９１】
図１０および図１１に示される本発明の実施形態に従うと、第一の層の第一のリニア導電経路１０１は、プリント回路基板１００の一方の側である第一の平面に配置される。第二の層のリニア導電経路１１１と、第三の層のリニア導電経路１２１および第四の層のリニア導電経路１２１’とは、プリント回路基板１００の他方の側である第二の平面に配置される。しかしながら、第一の層のリニア導電経路１０１が、第三の層のリニア導電経路１２１および第四の層のリニア導電経路１２１’と同じ平面にあることも予知されることもまた、考慮され得る。
【００９２】
本発明の別の実施形態に従うと、第一、第二、第三、および第四のリニア導電経路１０１、１１１’、１２１、および１２１’が配置される第一の平面および第二の平面は、非導電層によって分離され、それぞれのリニア導電経路の第一の平面および第二の平面のセットは、非導電媒体の一方の側に配置される。本発明のさらに別の実施形態に従うと、第一の平面および第二の平面のセットは、非導電媒体の両側に配置される。
【００９３】
本発明の種々の実施形態によって、光学ピックアップアクチュエータ内で使用される磁石の設計をシンプルにし、その一方で、その光学ピックアップアクチュエータ内に配置されるプリント回路基板上の磁気回路の磁気効率を改善することが可能になる。特に、本発明の実施形態に従うプリント回路基板上に配置されたリニア導電経路は、磁気領域を形成する。電磁力の生成に寄与しない領域を有する最新式のプリント回路基板とは対照的に、その領域の全表面が、電磁力の生成に寄与する。
【００９４】
本記載は、光学ピックアップアクチュエータ内のプリント回路基板の実装に焦点を当てたが、電気モータ、電気レギュレータ、または他用途のような他の用途も考慮することもまた、可能である。
【図面の簡単な説明】
【００９５】
【図１】図１は、従来技術に従う光学ピックアップアクチュエータの斜視図である。
【図２】図２は、図１に示される光学ピックアップアクチュエータの一部分の斜視図である。
【図３】図３は、図１に示される光学ピックアップアクチュエータの２つの八極磁石の間に配置されたプリント回路基板の斜視図である。
【図４】図４ａは、磁気回路の多層配置の第一の層の概略図である。図４ｂは、磁気回路の多層配置の第二の層の概略図である。図４ｃは、磁気回路の多層配置の第三の層の概略図である。図４ｄは、磁気回路の多層配置の第四の層の概略図である。
【図５】図５は、従来技術に従うプリント回路基板の一部分の模式図である。
【図６】図６は、本発明の一つの実施形態に従うプリント回路基板の一方の側の概略図を示す。
【図７】図７は、本発明の一つの実施形態に従うプリント回路基板のもう一方の側の概略図を示す。
【図８】図８は、２つの磁石の間に間隔を空けて置かれた本発明の一つの実施形態に従うプリント回路基板を備えるシステムの斜視図を示す。
【図９】図９ａは、本発明の別の実施形態に従うプリント回路基板の概略図を示す。図９ｂは、図９ａに示されるプリント回路基板の模式側面図であり、そのプリント回路基板の種々の層を示す。
【図１０】図１０は、本発明のさらに別の実施形態に従うプリント回路基板の一方の側の概略図を示す。
【図１１】図１１は、図１０に示されるプリント回路基板のもう一方の側の概略図を示す。
【符号の説明】
【００９６】
６１  第一の磁石
６２  第二の磁石
１００  プリント回路基板
１０１  第一の層の第一のリニア導電経路
１０２  第一の端子
１０３  第二の端子
１１１  第二の層の第二のリニア導電経路
１１２  第三の端子
１１３  第四の端子
１２１  第三の層の第三のリニア導電経路
１２１’  第四の層の第四のリニア導電経路
１２２  第五の端子
１２３  第六の端子
Ｂ  磁場
ｉ、ｉ’、ｉ”  電流
【図１】
2008103724.tif 000003
【図２】
2008103724.tif 000004
【図３】
2008103724.tif 000005
【図４】
2008103724.tif 000006
【図５】
2008103724.tif 000007
【図６】
2008103724.tif 000008
【図７】
2008103724.tif 000009
【図８】
2008103724.tif 000010
【図９】
2008103724.tif 000011
【図１０】
2008103724.tif 000012
【図１１】
2008103724.tif 000013